(57)【要約】【課題】  高強度、低重量、かつ不燃性であり、更に防音特性を向上させたハニカムサンドイッチパネルを提供する。【解決手段】この実施形態は、アルミニウム系合金板から成るハニカムコア１の上下面に、アルミニウム系合金板から成る上面板２と下面板３とを図示しない固定手段を介して固定し、前記音源側と成る下面板３には、固定手段６を介して鉄系合金板から成る金属板７が固定されている。前記アルミニウム系合金板とは、アルミニウム、ジュラルミン等、アルミニウムを主成分とする合金板であり、また鉄系合金板とは、鋼、ステンレス鋼、マルエージング鋼等、鉄を主成分とする合金板である。また前記固定手段６としては、リベット、タッピングビス、ネジ、接着剤、両面テープ及びロウ付けの中から選ばれた一つを使用し、この実施形態では固定手段６としてリベットを使用している。【選択図】  図１
2007307720.tif 000002
【特許請求の範囲】
【請求項１】
ハニカムコアの上下面に、固定手段を介して上面板と下面板とを固定して成るハニカムサンドイッチパネルにおいて、
軽金属板から成るハニカムコアの上下面に軽金属板から成る上面板と下面板とを固定すると共に、音源側の上面板または下面板の一方に固定手段を介して金属板を固定したことを特徴とするハニカムサンドイッチパネル。
【請求項２】
前記ハニカムコアと上面板及び下面板とをアルミニウム系合金板により形成した請求項１に記載のハニカムサンドイッチパネル。
【請求項３】
前記金属板が、鉄系合金板である請求項１または２に記載のハニカムサンドイッチパネル。
【請求項４】
前記金属板の固定手段が、リベット、タッピングビス、ネジ、接着剤、両面テープ及びロウ付けの中から選ばれた一つを使用する請求項１，２または３に記載のハニカムサンドイッチパネル。
【請求項５】
ハニカムコアの上下面に、固定手段を介して上面板と下面板とを固定して成るハニカムサンドイッチパネルにおいて、
軽金属板から成るハニカムコアの上下面に、金属板から成る上面板と下面板とを固定すると共に、音源側の上面板または下面板の一方に固定手段を介して金属板を固定したことを特徴とするハニカムサンドイッチパネル。
【請求項６】
前記ハニカムコアをアルミニウム系合金板により形成し、前記上面板、下面板及び金属板を鉄系合金板により形成した請求項５に記載のハニカムサンドイッチパネル。
【請求項７】
前記固定手段が、リベット、タッピングビス、ネジ、接着剤、両面テープ及びロウ付けの中から選ばれた一つを使用する請求項５または６に記載のハニカムサンドイッチパネル。
【発明の詳細な説明】
【技術分野】
【０００１】
この発明は、車両用床や航空機用床等に使用されるハニカムサンドイッチパネルに係わり、更に詳しくは防音特性を向上させ、かつ高強度、低重量、不燃性を備えたハニカムサンドイッチパネルに関するものである。
【背景技術】
【０００２】
一般に音に対する静寂性に関しては、建築材料としての防音壁や防音床等、種々の材料が存在するが、特に車両用床や航空機用床等に使用される床板の場合には、防音特性向上に加えて、高強度、低重量で、かつ火災等を防止するため不燃性材料であることが要望されている。
【０００３】
ところで、従来の床板としては、ハニカムコアの上下面に、固定手段を介して上面板と下面板とを固定して成るハニカムサンドイッチパネルが知られており、特にハニカムサンドイッチパネルとしては、図３に示すように、アルミニウム板から成るハニカムコア１と、このハニカムコア１の上下面に接着剤等の固定手段４を介してアルミニウム板から成る上面板２及び下面板３とを積層させて構成したものや、図４に示すようにアルミニウム板から成るハニカムコア１と、このハニカムコア１の上面にアルミニウム板から成る上面板２を固定手段４を介して固定し、またハニカムコア１の下面に接着剤等の固定手段４を介してゴム板５を固定し、更にゴム板５の表面にアルミニウム板から成る下面板３や、または繊維強化プラスチック（ＦＲＰ）から成る下面板３ａを積層させて構成したものも提案されている（例えば、特許文献１参照）。
【０００４】
然しながら、前者のハニカムコア１及び上下面板２，３をアルミニウム板で構成したものは、低重量であるが、防音特性（遮音性能，制振性能）の点において満足できるものではなく、また後者のゴム板５の表面にアルミニウム板から成る下面板３や、繊維強化プラスチック（ＦＲＰ）から成る下面板３ａを積層させたものは、強度及び防音特性（遮音性能，制振性能）については良好であるが、構成部品の燃焼性において極難燃性以上の要求を満足することが出来ず、車両床への採用は課題が残されていた。
【特許文献１】特開平６−１９０９５７号公報
【発明の開示】
【発明が解決しようとする課題】
【０００５】
この発明はかかる従来の問題点に着目し、高強度、低重量、かつ不燃性であり、更に防音特性を向上させたハニカムサンドイッチパネルを提供することを目的とするものである。
【課題を解決するための手段】
【０００６】
この発明は上記目的を達成するため、軽金属板から成るハニカムコアの上下面に軽金属板から成る上面板と下面板とを固定すると共に、音源側の上面板または下面板の一方に固定手段を介して金属板を固定したことを要旨とするものである。
【０００７】
ここで、前記ハニカムコアと上面板及び下面板とをアルミニウム系合金板により形成し、前記金属板が、鉄系合金板であり、更に前記金属板の固定手段が、リベット、タッピングビス、ネジ、接着剤、両面テープ及びロウ付けの中から選ばれた一つを使用するものである。
【０００８】
また、この発明の他のハニカムサンドイッチパネルは、軽金属板から成るハニカムコアの上下面に、金属板から成る上面板と下面板とを固定すると共に、音源側の上面板または下面板の一方に固定手段を介して金属板を固定したことを要旨とするものである。
【０００９】
ここで、前記ハニカムコアをアルミニウム系合金板により形成し、前記上面板、下面板、及び金属板を鉄系合金板により形成し、また前記固定手段が、リベット、タッピングビス、ネジ、接着剤、両面テープ及びロウ付けの中から選ばれた一つを使用するものである。
【００１０】
このように構成することで、重量当たりの透過損失を向上させ、特に高強度、低重量、かつ不燃性であり、更に防音特性を向上させることが出来るものである。
【発明の効果】
【００１１】
この発明は、上記のように構成したので、防音特性を向上させることが出来ると共に、高強度、低重量、かつ不燃性であり、特に車両用床や航空機用床等に使用される防音床板の場合には有効である。
【発明を実施するための最良の形態】
【００１２】
以下、添付図面に基づき、この発明の実施形態を説明する。
なお、従来例と同一構成要素は、同一符号を付して説明は省略する。
【００１３】
図１はこの発明の第１実施形態を示すハニカムサンドイッチパネルの断面図を示し、この実施形態は、アルミニウム系合金板から成るハニカムコア１の上下面に、アルミニウム系合金板から成る上面板２と下面板３とを図示しない固定手段を介して固定し、前記音源側と成る下面板３には、固定手段６を介して鉄系合金板から成る金属板７が固定されている。
【００１４】
前記アルミニウム系合金板とは、アルミニウム、ジュラルミン等、アルミニウムを主成分とする合金板であり、また鉄系合金板とは、鋼、ステンレス鋼、マルエージング鋼等、鉄を主成分とする合金板である。
【００１５】
また前記固定手段６としては、リベット、タッピングビス、ネジ、接着剤、両面テープ及びロウ付けの中から選ばれた一つを使用し、この実施形態では固定手段６としてリベットを使用している。
【００１６】
図２は、この発明の第２実施形態を示すハニカムサンドイッチパネルの断面図を示し、１はアルミニウム系合金板から成るハニカムコア、２ｘ及び３ｘはハニカムコア１の上下面に固定手段６を介して固定される鉄系合金板等の金属板から成る上面板と下面板とを示し、前記音源側と成る下面板３ｘには、固定手段６を介して鉄系合金板から成る金属板７ｘが固定されている。
【００１７】
なお、アルミニウム系合金板及び鉄系合金板は、上記第１実施形態と同様なので、説明は省略する。また前記固定手段としては、例えば、リベット、タッピングビス、ネジ、接着剤、両面テープ及びロウ付けの中から選ばれた一つを使用するものである。
【００１８】
この発明の第１実施形態のように、音源側と成るアルミニウム系合金板から成る下面板３にリベット等の固定手段６を介して鉄系合金板から成る金属板７を積層させて固定することにより、少なくとも車両等に必要な条件となる燃焼性能に関しては満足することが出来ると共に、強度及び重量に関しても満足でき、更に後述する透過損失評価実験からも明らかなように、静音対策床板としても有効である。
【００１９】
また上記第２実施形態のように、ハニカムサンドイッチパネルの鉄系合金板等の金属板から成る上面板２ｘと下面板３ｘとの音源側と成る面板に、固定手段６を介して鉄系合金板から成る金属板７ｘを固定した場合には、一定の周波数領域では、後述する透過損失評価実験からも明らかなように、静音対策床板としても有効であることが判った。
【００２０】
〔透過損失評価試験〕
（１）試験方法
JIS A 1416-2000 「実験室における建築部材の空気音遮断性能の測定方法」に基づき実  施した。測定計器・測定方法は、図５に示す方法で行った。
供試体寸法：1000×2000(mm)
なお、下記の表１及び表２において、
AL ：アルミニュム , Fe ：鉄
in ：インチ(1/4インチ：6.35mm,3/4インチ：19.05mm)を示している。
また、上面板の一般の厚さ：0.5 〜3.0mm,好ましい厚さ：0.8 〜1.4mm であり、              下面板の一般の厚さ：0.2 〜3.0mm,好ましい厚さ：0.3 〜1.0mm であり
鉄板の一般の厚さ：0.5 〜5.0mm,好ましい厚さ：0.5 〜2.0mm である。        
ハニカムコアのセルサイズ：一般には1/8 in〜3/4 inであり、                        ハニカムコアの一般の厚さ：6 〜25 mm,好ましい厚さ：6 〜15 mm ある。
（２）評価試験
【００２１】
【表１】
2007307720.tif 000003
【００２２】
【表２】
2007307720.tif 000004
【００２３】
（３）評価結果
以上の実施形態１及び実施形態２から、鉄系合金板から成る金属板７及び７ｘを積層させた構成にすることで、各周波数における質量則基準の透過損失の向上が確認された。
【００２４】
以上のように、この発明の実施形態では、アルミニウム系合金板から成るハニカムコア１の上下面に軽金属板から成る上面板２と下面板３とを固定すると共に、音源側の上面板２または下面板３の一方に固定手段６を介して鉄系合金板から成る金属板７を固定したり、またアルミニウム系合金板から成るハニカムコア１の上下面に、鉄系合金板から成る上面板２ｘと下面板３ｘとを固定し、音源側の上面板２ｘまたは下面板３ｘの一方に固定手段６を介して鉄系合金板から成る金属板７ｘを固定することにより、防音特性を向上させることが出来ると共に、高強度、低重量、かつ不燃性であり、特に車両用床や航空機用床等に使用される防音床板の場合には有効となるものである。
【図面の簡単な説明】
【００２５】
【図１】この発明の第１実施形態を示すハニカムサンドイッチパネルの断面図である。
【図２】この発明の第２実施形態を示すハニカムサンドイッチパネルの断面図である。
【図３】従来のハニカムサンドイッチパネルの断面図である。
【図４】従来の他のハニカムサンドイッチパネルの断面図である。
【図５】ハニカムサンドイッチパネルの透過損失評価試験を行う測定方法の説明図である。
【符号の説明】
【００２６】
１  ハニカムコア                ５  ゴム板                                ２，２ａ，２ｘ  上面板                ６  固定手段                              ３，３ａ，３ｘ  下面板          ７，７ｘ  金属板
４  固定手段                    ５  ゴム板                                      ６  固定手段                    ７，７ｘ  金属板
【図１】
2007307720.tif 000005
【図２】
2007307720.tif 000006
【図３】
2007307720.tif 000007
【図４】
2007307720.tif 000008
【図５】
2007307720.tif 000009